(57)【要約】【課題】飲料物を収容すると共に、コストアップすることなく容易に情報記録媒体を取付けることができ、また、開封することなく情報記録媒体に表示されている情報を見ることができる情報記録媒体付き容器を提供する。【解決手段】情報記録媒体付き容器１０は、容器胴部１１と、容器底部１２と、収容されている飲料物を出す開口部１３と、開口部１３を封止している封止部１４と、開口部１３を塞いでいて、孔部を有し上面が透明の蓋部１５と、商品関連情報１６ｂが表示されていて、中心孔部１６ａを有するＣＤ−ＲＯＭ１６と、蓋部１５の内側上面に一体に形成され、ストロー用孔を持つはめ込み部１７ａを有し、ＣＤ−ＲＯＭ１６を保持して蓋部１５に固定している保持部１７と、ストロー１８等とを備えており、蓋部１５の孔部と中心孔部１６ａとはめ込み部１７ａと封止部１４とをストロー１８で貫通可能な位置に中心孔部１６ａとはめ込み部１７ａとを設けている。【選択図】図１
2006056553.tif 000002
【特許請求の範囲】
【請求項１】
胴部と前記胴部に連接している底部と内容物を出す開口部とを有している容器と、
中心に円形の中心孔部を有し、情報が記録されている情報記録媒体と、
前記情報記録媒体を前記中心孔部で保持して前記容器に固定する保持部と、
を含む情報記録媒体付き容器。
【請求項２】
請求項１に記載の情報記録媒体付き容器において、
前記容器は、前記開口部を封止する封止部及び／又は前記開口部を塞ぐ蓋部を有し、
前記保持部は、前記封止部及び／又は前記蓋部に設けられていること、
を特徴とする情報記録媒体付き容器。
【請求項３】
請求項２に記載の情報記録媒体付き容器において、
前記封止部及び／又は前記蓋部は、少なくとも１部が透明又は半透明であること、
を特徴とする情報記録媒体付き容器。
【請求項４】
請求項１から請求項３までのいずれか１項に記載の情報記録媒体付き容器において、
前記保持部は、棒状物を挿入可能な貫通孔部を有していること、
を特徴とする情報記録媒体付き容器。
【請求項５】
請求項４に記載の情報記録媒体付き容器において、
前記内容物は飲料物であり、
前記棒状物はストローであり、
前記ストローが挿入されて前記開口部を経由して前記飲料物を吸引可能な位置に、前記中心孔部と前記貫通孔部とが設けられていること、
を特徴とする情報記録媒体付き容器。
【請求項６】
請求項１から請求項５までのいずれか１項に記載の情報記録媒体付き容器において、
前記情報は、前記内容物の属性に関連していること、
を特徴とする情報記録媒体付き容器。
【請求項７】
請求項１から請求項６までのいずれか１項に記載の情報記録媒体付き容器において、
前記情報記録媒体は、前記内容物に関連する情報が表示されていること、
を特徴とする情報記録媒体付き容器。
【請求項８】
請求項１から請求項７までのいずれか１項に記載の情報記録媒体付き容器において、
前記情報記録媒体の周縁部と前記容器の周縁部とが重なっていること、
を特徴とする情報記録媒体付き容器。
【請求項９】
胴部と前記胴部に連接している底部と内容物を出す開口部とを有している容器に使用する蓋であって、
少なくとも１部が透明又は半透明の基材により形成され、前記開口部を塞ぐ蓋部と、
中心に円形の中心孔部を有していて情報が記録されている情報記録媒体を前記中心孔部で保持して前記蓋部に固定する保持部と、
を含む蓋。
【請求項１０】
胴部と前記胴部に連接している底部と内容物を出す開口部とを有している容器に使用する蓋であって、
少なくとも１部が透明又は半透明の基材により形成され、前記開口部を塞ぐ蓋部と、
中心に円形の中心孔部を有し、情報が記録されている情報記録媒体と、
前記中心孔部で前記情報記録媒体を保持して前記蓋部に固定する保持部と、
を含む蓋。
【発明の詳細な説明】
【技術分野】
【０００１】
本発明は、飲料用容器等として用いる場合に好適な情報記録媒体付き容器及び蓋に関するものである。
【背景技術】
【０００２】
従来、この種の情報記録媒体付き容器は、景品を収容することができ、自動販売機での販売が可能な蓋付容器が存在している（例えば、特許文献１）。
しかし、収容可能な情報記録媒体の大きさが自動販売機での販売が可能な蓋付容器の大きさに制限されているという問題点があった。
また、収容可能であっても容器や容器用の蓋を特別な構造にする必要があり、コストアップの要因になっていた。
さらに、容器を開封するまで収容されている情報記録媒体を見ることができず、情報記録媒体に表示されている情報を見ることができなかった。
さらにまた、飲料物と共に情報記録媒体を収容することができなかった。
【特許文献１】特開２００３−２３３０号公報
【発明の開示】
【発明が解決しようとする課題】
【０００３】
本発明の第１の課題は、飲料物を収容すると共に、コストアップすることなく容易に情報記録媒体を取付けることができ、また、開封することなく情報記録媒体に表示されている情報を見ることができる情報記録媒体付き容器を提供することである。
本発明の第２の課題は、容易に情報記録媒体を取付けることができ、また、情報記録媒体を取り外すことなく情報記録媒体に表示されている情報を見ることができる蓋を提供することである。
【課題を解決するための手段】
【０００４】
本発明は、以下のような解決手段により、前記課題を解決する。なお、理解を容易にするために、本発明の実施例に対応する符号を付して説明するが、これに限定されるものではない。
請求項１の発明は、胴部（１１）と前記胴部に連接している底部（１２）と内容物を出す開口部（１３）とを有している容器（１０）と、中心に円形の中心孔部（１６ａ）を有し、情報が記録されている情報記録媒体（１６）と、前記情報記録媒体を前記中心孔部で保持して前記容器に固定する保持部（１７）と、を含む情報記録媒体付き容器である。
請求項２の発明は、請求項１に記載の情報記録媒体付き容器において、前記容器は、前記開口部を封止する封止部（１４）及び／又は前記開口部を塞ぐ蓋部（１５）を有し、前記保持部は、前記封止部及び／又は前記蓋部に設けられていること、を特徴とする情報記録媒体付き容器である。
請求項３の発明は、請求項２に記載の情報記録媒体付き容器において、前記封止部及び／又は前記蓋部は、透明又は半透明であること、を特徴とする情報記録媒体付き容器である。
請求項４の発明は、請求項１から請求項３までのいずれか１項に記載の情報記録媒体付き容器において、前記保持部は、棒状物を挿入可能な貫通孔部（１７ａ）を有していること、を特徴とする情報記録媒体付き容器である。
請求項５の発明は、請求項４に記載の情報記録媒体付き容器において、前記内容物は飲料物であり、前記棒状物はストロー（１８）であり、前記ストローが挿入されて前記開口部を経由して前記飲料物を吸引可能な位置に、前記中心孔部と前記貫通孔部とが設けられていること、を特徴とする情報記録媒体付き容器である。
請求項６の発明は、請求項１から請求項５までのいずれか１項に記載の情報記録媒体付き容器において、前記情報は、前記内容物の属性に関連していること、を特徴とする情報記録媒体付き容器である。
請求項７の発明は、請求項１から請求項６までのいずれか１項に記載の情報記録媒体付き容器において、前記情報記録媒体は、前記内容物に関連する情報（１６ｂ）が表示されていること、を特徴とする情報記録媒体付き容器である。
請求項８の発明は、請求項１から請求項７までのいずれか１項に記載の情報記録媒体付き容器において、前記情報記録媒体の周縁部と前記容器の周縁部とが重なっていること、を特徴とする情報記録媒体付き容器である。
請求項９の発明は、胴部（１１）と前記胴部に連接している底部（１２）と内容物を出す開口部（１３）とを有している容器に使用する蓋であって、少なくとも１部が透明又は半透明の基材により形成され、前記開口部を塞ぐ蓋部（１５）と、中心に円形の中心孔部（１６ａ）を有していて情報が記録されている情報記録媒体（１６）を前記中心孔部で保持して前記蓋部に固定する保持部（１７）と、を含む蓋である。
請求項１０の発明は、胴部（１１）と前記胴部に連接している底部（１２）と内容物を出す開口部（１３）とを有している容器に使用する蓋であって、少なくとも１部が透明又は半透明の基材により形成され、前記開口部を塞ぐ蓋部（１５）と、中心に円形の中心孔部（１６ａ）を有し、情報が記録されている情報記録媒体（１６）と、前記中心孔部で前記情報記録媒体を保持して前記蓋部に固定する保持部（１７）と、を含む蓋である。
【発明の効果】
【０００５】
以上説明したように、本発明によれば、以下のような効果がある。
（１）本発明による情報記録媒体付き容器は、情報記録媒体を中心孔部で保持する保持部を有するので、情報記録媒体の外形にかかわらず、情報記録媒体を容易に容器に固定できる。
（２）本発明による情報記録媒体付き容器は、封止部や蓋部の少なくとも１部が透明又は半透明なので、保持部が封止部や蓋部の内側に設けられていても情報記録媒体が固定されているか否かを外部から視認することができ、また、情報記録媒体に情報が表示されている場合は、情報記録媒体が固定されている状態でこの情報を見ることができる。
（３）本発明による情報記録媒体付き容器は、棒状物を挿入可能な貫通孔部を有しているので、情報記録媒体を固定した状態で容器外部から内容物を容易に操作等できる。
（４）本発明による情報記録媒体付き容器は、ストローが挿入されて開口部を経由して飲料物を吸引可能な位置に、中心孔部と貫通孔部とが設けられているので、情報記録媒体を固定したままストローを挿入した状態で飲料物を吸引できる。
また、この状態での飲料物の吸引は他にはない状態なので、新鮮な印象を与える。
（５）本発明による情報記録媒体付き容器は、情報記録媒体に表示や記録されている情報が内容物の属性等に関連しているので、内容物に関する情報等を内容物の主力顧客層の嗜好に応じて提供でき、効率よく広告効果や訴求効果及び販促効果が向上する。
（６）本発明による情報記録媒体付き容器は、情報記録媒体の周縁部と容器の周縁部とが重なっているので、情報記録媒体に作用した外力が容器周縁部に均等の大きさで伝達し、容器周縁部のねじれなどの変形が抑制され、容器の強度が補強される。
（７）本発明による蓋は、情報記録媒体を中心孔部で保持する保持部を有するので、情報記録媒体の外形にかかわらず、情報記録媒体を容易に容器に固定できる。
また、蓋部の少なくとも１部が透明又は半透明なので、保持部が蓋部の内側に設けられていても情報記録媒体が固定されているか否かを外部から視認することができ、さらに、情報記録媒体に情報が表示されている場合は、情報記録媒体が固定されている状態でこの情報を見ることができる。
【発明を実施するための最良の形態】
【０００６】
本発明は、飲料物を収容すると共に、コストアップすることなく容易に情報記録媒体を取付け、開封することなく情報記録媒体に表示されている情報を見るという目的を、容器の蓋部に一体に形成されていてストロー用孔を有するはめ込み部の外周で保持して、商品関連情報が表示されているＣＤ−ＲＯＭを透明な蓋部の内側上面に固定した状態で、収容されている飲料物をストローで吸引可能とすることによって実現する。
【実施例１】
【０００７】
以下、図面等を参照して、本発明の実施例をあげて、さらに詳しく説明する。
図１，図２は、本発明による情報記録媒体付き容器の実施例１を示す図であって、図１は、斜視図及び断面図、図２は、保持部の拡大図である。
情報記録媒体付き容器１０は、図１に示すように、円筒形状の容器胴部１１と、容器胴部１１の底側外周に連接している円形の容器底部１２と、情報記録媒体付き容器１０内に収容されている飲料物を取り出すために容器胴部１１の天部に形成されている開口部１３と、開口部１３を封止している封止部１４と、上面から被さり開口部１３を塞ぎ、中央に孔部を有していて、円形で上面が透明の蓋部１５と、直径８ｃｍの円形のＣＤ−ＲＯＭ１６と、蓋部１５の内側上面に一体に形成されていて、ＣＤ−ＲＯＭ１６を保持して蓋部１５に固定している保持部１７と、ストロー１８等とを備えている。
【０００８】
ＣＤ−ＲＯＭ１６は、中心に、ディスクドライブ装置の駆動部に保持される中心孔部１６ａ等を有し、基材層等を備えており、また、表面に商品関連情報１６ｂが記録されている。
基材層は、アクリル系樹脂，ポリ塩化ビニル系樹脂，ポリカーボネート系樹脂，ポリスチレン系樹脂，スチレン−ブタジエン−アクリロニトリル共重合体等を単独又は混合物として用いている。
商品関連情報１６ｂは、実施例１による情報記録媒体付き容器に収容されている飲料物に関連している情報であって、飲料物について、製造理念、希少性、摂取後の有利な効果及び他の飲料物と比べていかに優れているか等を示してしいる。
【０００９】
図１（ｃ）は、図１（ｂ）のｃ−ｃ断面図である。
保持部１７は、中心孔部１６ａでＣＤ−ＲＯＭ１６を保持し、蓋部１５の内側上面に隙間なく固定している。
【００１０】
図２は、図１の保持部１７の１部を抜き出した拡大図であって、図２（ａ）は、平面図、図２（ｂ），（ｃ），（ｄ）は、断面図である。
保持部１７は、中心部に、周囲から隆起していて放射線状にスリットが形成されている円形のはめ込み部１７ａを有している。
保持部１７は、図２（ｃ）に示すように、はめ込み部１７ａを中心孔部１６ａにはめ込むことでＣＤ−ＲＯＭ１６を保持している。
保持部１７は、図２（ｄ）に示すように、ストロー１８をはめ込み部１７ａのスリットに挿入可能であり、滑動可能にストロー１８を固定している。
【００１１】
このようにして、情報記録媒体付き容器１０は、蓋部１５の孔部と中心孔部１６ａとはめ込み部１７ａと封止部１４とがストロー１８で貫通可能な位置に設けられている。
【００１２】
実施例１の情報記録媒体付き容器１０によれば、ＣＤ−ＲＯＭ１６を中心孔部１６ａで保持する保持部１７が蓋部１５に一体に形成されているので、ＣＤ−ＲＯＭ１６をコストアップを抑えて容易に蓋部１５に固定できる。
【００１３】
また、ＣＤ−ＲＯＭ１６の周縁部と蓋部１５の内側上面周縁部とが重なって、ＣＤ−ＲＯＭ１６が蓋部１５の内側上面に隙間なくはめ込まれているので、蓋部１５上面のねじれなどの変形が抑制され、容器が補強される。
【００１４】
さらに、蓋部１５の上面が透明なので、保持部１７が蓋部１５の内側に設けられていてもＣＤ−ＲＯＭ１６を外部から視認することができ、ＣＤ−ＲＯＭ１６が固定されている状態で商品関連情報１６ｂを容易に視認することができる。
【００１５】
さらにまた、蓋部１５の孔部と中心孔部１６ａとはめ込み部１７ａと封止部１４とがストロー１８で貫通可能な位置に設けられているので、ＣＤ−ＲＯＭ１６を固定したままその中心にストロー１８を挿入した状態で飲料物を吸引できる。
【実施例２】
【００１６】
図３及び図４は、本発明による情報記録媒体付き容器の実施例２を示す図である。
なお、同様な機能を果たす部分には、同一の符号又は末尾に統一した符号を付して、重複する説明や図面を適宜省略する。
実施例２による情報記録媒体付き容器２０が実施例１による情報記録媒体付き容器１０と異なる点は、ＣＤ−ＲＯＭ２６が、直径１２ｃｍで、蓋部２５の外側上面にはめ込まれていて保持部２３で固定されている点及びＣＤ−ＲＯＭ２６に記録されている情報に、ＰＯＳ（Ｐｏｉｎｔ  Ｏｆ  Ｓａｌｅｓ）システムを用いて作成された情報等が含まれている点である。
【００１７】
図３（ｂ）及び図３（ｃ）は、図３（ａ）のｂ−ｂ断面図であって、図３（ｃ）は、図３（ｂ）からＣＤ−ＲＯＭ２６を除いた図である。
蓋部２５は、外周端部２５ａと、外周端部２５ａに囲まれている上面空間２５ｂと、上面空間２５ｂの底面に外周端部２５ａの天面より低い位置で形成されている平面２５ｃと、平面２５ｃに一体に形成されている保持部２７と、外周端部２５ａの内側面２５ａａに接触して上面空間２５ｂに隙間なくはめ込まれていて、保持部２７によって平面２５ｃに固定されているＣＤ−ＲＯＭ２６等とを備えている。
なお、ＣＤ−ＲＯＭ２６の周縁部は、容器胴部２１の外周端部に重なる位置に配置されている。
【００１８】
図４は、情報記録媒体付き容器２０の作製工程を示す図表であって、図４（ａ）は、ＰＯＳシステムによる購入者情報を示す集計表、図４（ｂ）は、集計表に基づいて作成した情報を用いる工程図である。
図４（ａ）は、地域情報として、店舗１号店及び２号店にて購入された商品Ａ，Ｂ等について商品Ａ，Ｂ等の属性の１部として、購入者の顧客情報を、年齢，性別，のべ購入数の項目でＰＯＳシステムを用いて集計して示している表である。
【００１９】
この表によると、１号店は、商品Ａが１０代男性に最も支持されており、商品Ｂが２０代女性に最も支持されていること等を読み取ることができるので、店舗毎に各商品の属性の１部として主力顧客層を知ることができる。
【００２０】
この表に基づいて、商品毎に、地域情報，年齢性別情報，のべ購入数情報等を読み取り、顧客（購入者）データをグループ分けして作成する（＃１０１）。
【００２１】
顧客データに基づいて、対象商品に関連する情報と、音楽，画像，その他の情報をＣＤ−ＲＯＭ２６に記録する（＃１０２）。
本実施例で１号店における商品Ｂについては、商品Ｂに関連する情報と、商品Ｂの主力顧客層である２０代女性の嗜好に応じた美容，飲食店，恋愛，旅行，書籍，映画，占い等の情報とを優先的に記録する。
また、その情報の１部をＣＤ−ＲＯＭ２６の上面に表示する。
【００２２】
これらの情報を記録したＣＤ−ＲＯＭ２６を、対象としている商品Ｂの容器の蓋部２５の上面空間２５ｂに保持部２７で固定する（＃１０３）。
【００２３】
そして、このように作製し、全体をラッピングした情報記録媒体付き容器２０にかかる商品Ｂを、地域情報に基づいて１号店で販売する。
【００２４】
実施例２によれば、ＣＤ−ＲＯＭ２６が内側面２５ａａに接触して上面空間２５ｂに隙間なくはめ込まれ保持部２７によって平面２５ｃに固定されているので、蓋部２５について、変形が抑制されて補強された。
【００２５】
また、ＣＤ−ＲＯＭ２６の周縁部が容器胴部２１の外周端部に重なる位置に配置されているので、上面からの外力が容器胴部２１の外周端部へ均等に作用し、容器胴部２１について、変形が抑制されて補強された。
【００２６】
さらに、ＰＯＳシステムを用いて、グループ分けして顧客対象を絞った所定の情報をＣＤ−ＲＯＭ２６に記録しているので、情報提供者は、特定の対象者層に所定の情報を効率よく提供することができ、さらにまた、ＣＤ−ＲＯＭ２６に商品Ｂの主力顧客層の嗜好に応じた情報が記録されているので、付加価値を高めることができ、低コストでより大きな訴求効果，広告効果及び販促効果を得ることが可能となった。
【００２７】
（変形例）
以上説明した実施例に限定されることなく、種々の変形や変更が可能であって、それらも本発明の均等の範囲内である。
例えば、本発明の実施例において、円筒形状の容器を用いているが、直方体形状等であってもよく、その形状は限定されない。
【００２８】
また、本発明の実施例において、ＣＤ−ＲＯＭ１６，２６を用いているが、これに限定されず、中心に円形の中心孔部を有している情報記録媒体であれば、ＣＤ−Ｒ，ＣＤ−ＲＷ，カード状ＣＤ−ＲＯＭ，フォトＣＤ，ＤＶＤ等であってもよい。
ここで、直方体形状の容器は、例えば、カード状ＣＤ−ＲＯＭの端部を容器の外周端部に重なる位置に配置することで補強される。
【００２９】
本発明の情報記録媒体付き容器１０は、開口部１３が容器胴部１１等に形成されていてもよく、また、保持部１７が蓋部１５以外の封止部１４等に形成されていてもよく、さらに、蓋部１５や封止部１４の１部又は全部が透明や半透明であってもよく、さらにまた、棒状物はストロー１８に限定されず、攪拌棒や温度計等であってもよい。
【００３０】
本発明による情報記録媒体付き容器の実施例は、内容物として飲料物を収容しているが、飲料物に限定されず、固体や液体，気体又はこれらの混合物等であってもよい。
【００３１】
本発明の実施例１，２は、情報記録媒体付き容器１０，２０を示しているが、これらに限定されず、容器胴部１１と容器底部１２と開口部１３とを有している容器に使用する蓋であって、蓋部１５と、ＣＤ−ＲＯＭ１６を中心孔部１６ａで保持して蓋部１５に固定可能な保持部１７等とを有している蓋や、又は、蓋部２５と、保持部２７等とを同様にして有している蓋であってもよい。
【００３２】
さらに、同様にして、蓋部１５と、ＣＤ−ＲＯＭ１６と、保持部１７等とを有している蓋や、蓋部２５と、ＣＤ−ＲＯＭ２６と、保持部２７等とを有している蓋であってもよい。
【００３３】
本発明の変形例による蓋は、ＣＤ−ＲＯＭ１６を中心孔部１６ａで保持する保持部１７を有するので、ＣＤ−ＲＯＭ等の外形にかかわらず、ＣＤ−ＲＯＭ等を容易に蓋に固定することが可能となった。
また、蓋部１５の上面が透明なので、保持部１７が蓋部１５の内側に設けられていてもＣＤ−ＲＯＭ１６が固定されているか否かを外部から視認することができ、さらに、ＣＤ−ＲＯＭ１６が固定されている状態で商品関連情報１６ｂを見ることが可能となった。
【図面の簡単な説明】
【００３４】
【図１】本発明による情報記録媒体付き容器の実施例１を示す斜視図である。
【図２】実施例１による情報記録媒体付き容器１０の保持部１７の拡大図である。
【図３】本発明による情報記録媒体付き容器の実施例２を示す斜視図である。
【図４】実施例２による情報記録媒体付き容器２０の作製工程示す工程図である。
【符号の説明】
【００３５】
１０，２０    情報記録媒体付き容器
１１，２１    容器胴部
１２    容器底部
１３    開口部
１４    封止部
１５，２５    蓋部
１６，２６    ＣＤ−ＲＯＭ
１７，２７    保持部
１８    ストロー
【図１】
2006056553.tif 000003
【図２】
2006056553.tif 000004
【図３】
2006056553.tif 000005
【図４】
2006056553.tif 000006